(57)【特許請求の範囲】
【請求項１】
被検者にＸ線を照射するＸ線照射手段と前記Ｘ線照射手段によるＸ線照射の制御を行うＸ線照射制御部とを移動走行可能な台車に備えた移動型Ｘ線撮影装置の複数台によりＸ線撮影を行う移動型Ｘ線撮影装置の撮影情報管理システムであって、
前記移動型Ｘ線撮影装置に、患者情報、前記Ｘ線照射制御部に対する撮影条件およびＸ線撮影ごとに更新される撮影進捗状況を含む撮影情報データを記憶する撮影情報記憶手段と、前記撮影情報記憶手段に記憶された撮影情報データを他の移動型Ｘ線撮影装置との間で無線通信により互いに送受信する無線通信手段と、前記無線通信手段によって受信した他の移動型Ｘ線撮影装置の撮影情報データを表示する撮影情報データ表示手段とを備えたことを特徴とする移動型Ｘ線撮影装置の撮影情報管理システム。
【請求項２】
請求項１に記載の移動型Ｘ線撮影装置の撮影情報管理システムにおいて、
撮影情報記憶手段に記憶される撮影進捗状況が、撮影作業の経過に対する目標設定作業時間と実作業時間とを含むものである移動型Ｘ線撮影装置の撮影情報管理システム。
【請求項３】
請求項１または２に記載の移動型Ｘ線撮影装置の撮影情報管理システムにおいて、
各移動型Ｘ線撮影装置に自己の位置情報データを取得する自己位置取得手段を備え、撮影情報データとともに前記自己位置取得手段で取得された位置情報データを他の移動型Ｘ線撮影装置との間で送受信するものである移動型Ｘ線撮影装置の撮影情報管理システム。
【発明の詳細な説明】
【技術分野】
【０００１】
この発明は、被検者にＸ線を照射するＸ線管などのＸ線照射手段とそのＸ線照射手段によるＸ線照射の制御を行うＸ線照射制御部とを移動走行可能な台車に備えた移動型Ｘ線撮影装置の複数台によりＸ線撮影を行う移動型Ｘ線撮影装置の撮影情報管理システムに関する。
【背景技術】
【０００２】
移動型Ｘ線撮影装置は、病室等に移動してＸ線撮影を行うことができて便利であるが、撮影条件等の管理が重要になっている。そのような管理を行うために、従来、次のようなものが知られている。
【０００３】
撮影条件が含まれたＸ線撮影の指示が、医師のパーソナルコンピュータからネットワーク（ＬＡＮ）を介してホストコンピュータに送られ、そのＸ線撮影の指示を、撮影前に、ホストコンピュータから撮影者用パーソナルコンピュータに受け取り、更に、撮影者用パーソナルコンピュータから移動型Ｘ線撮影装置に無線通信手段を介して送信し、移動型Ｘ線撮影装置のデータ記憶部に書き込むようにしている。
【０００４】
撮影に際し、撮影者は、データ記憶部に書き込まれた撮影条件を読み出して撮影データを確認してＸ線撮影を行う。撮影後には、撮影後のデータを移動型Ｘ線撮影装置から撮影者用パーソナルコンピュータに無線通信手段を介して送信し、更に、撮影者用パーソナルコンピュータからホストコンピュータにネットワーク（ＬＡＮ）を介して転送するようにしている。（例えば、特許文献１参照）。
【特許文献１】特開平２００４−３３７２６４号公報
【発明の開示】
【発明が解決しようとする課題】
【０００５】
しかしながら、上述のような従来例の場合、複数の移動型Ｘ線撮影装置を用いて回診を行う場合について何ら考慮されていない。
すなわち、例えば、被検者が不在であるとか、カセッテによる撮影やフラットパネル型Ｘ線検出器による撮影であるなど、機種の違いにより撮影者にとって馴れ・不馴れがあったり、経験が異なるといったことのために、予定していた１日の撮影作業時間と実際の撮影作業時間との間にずれを生じる。
この結果、ひとつの移動型Ｘ線撮影装置では、予定よりも早くなっているのに対し、他の移動型Ｘ線撮影装置では予定よりも遅れているといった事態を生じ、Ｘ線撮影作業全体としての作業効率が低下する欠点があった。
【０００６】
また、上述のように撮影進捗状況に差異があって撮影の作業予定を変更して調整するような場合、従来であれば、予定よりも遅れている撮影者からホストコンピュータに送信し、予定よりも進んでいる撮影者がいるかどうか、更には、ホストコンピュータから他の撮影者に送受信し、一部の予定を割り込ませてもらえるかどうかといったことを確認してもらい、その返事をホストコンピュータから送受信によって受ける必要がある。このように、撮影者とホストコンピュータ、ホストコンピュータと他の撮影者、更に、ホストコンピュータと撮影者という三回の送受信を行わなければならず、作業予定の変更に際し、多大な手間を要する欠点があった。
【０００７】
この発明は、上述のような事情に鑑みてなされたものであって、複数の移動型Ｘ線撮影装置を用いてのＸ線撮影作業を円滑かつ迅速に進めることができるようにすることを目的とする。
【課題を解決するための手段】
【０００８】
請求項１に係る発明は、上述のような目的を達成するために、次のような構成をとる。
すなわち、被検者にＸ線を照射するＸ線照射手段と前記Ｘ線照射手段によるＸ線照射の制御を行うＸ線照射制御部とを移動走行可能な台車に備えた移動型Ｘ線撮影装置の複数台によりＸ線撮影を行う移動型Ｘ線撮影装置の撮影情報管理システムであって、
前記移動型Ｘ線撮影装置に、患者情報、前記Ｘ線照射制御部に対する撮影条件およびＸ線撮影ごとに更新される撮影進捗状況を含む撮影情報データを記憶する撮影情報記憶手段と、前記撮影情報記憶手段に記憶された撮影情報データを他の移動型Ｘ線撮影装置との間で無線通信により互いに送受信する無線通信手段と、前記無線通信手段によって受信した他の移動型Ｘ線撮影装置の撮影情報データを表示する撮影情報データ表示手段とを備えたことを特徴とする移動型Ｘ線撮影装置の撮影情報管理システム。
【０００９】
（作用・効果）
請求項１に係る発明の移動型Ｘ線撮影装置の撮影情報管理システムの構成によれば、自己の撮影進捗状況に遅れがあるときに、他の移動型Ｘ線撮影装置の撮影進捗状況を確認し、適宜、被検者一人分などの予定していたＸ線撮影の一部を他の撮影者に依頼するとともに該当する被検者の撮影情報データを撮影情報記憶手段から取出して送信することができる。逆に、撮影進捗状況が予定よりも進んでいるときには、他の撮影者の予定分の一部を引き受けることができる。
したがって、他の移動型Ｘ線撮影装置の撮影進捗状況を把握できるから、撮影作業の遅れを予定変更で解消するなど、撮影者どうしでの相互協力を円滑に進めることができ、複数の移動型Ｘ線撮影装置を用いてのＸ線撮影作業を円滑かつ迅速に進めることができ、全体としての作業効率を向上できる。
【００１０】
請求項２に係る発明は、上述のような目的を達成するために、
請求項１に記載の移動型Ｘ線撮影装置の撮影情報管理システムにおいて、
撮影情報記憶手段に記憶される撮影進捗状況が、撮影作業の経過に対する目標設定作業時間と実作業時間とを含むように構成する。
【００１１】
（作用・効果）
請求項２に係る発明の移動型Ｘ線撮影装置の撮影情報管理システムの構成によれば、自己の撮影進捗状況、ならびに、他の撮影者の撮影進捗状況をより適確に把握することができ、複数の移動型Ｘ線撮影装置を用いてのＸ線撮影作業を一層円滑かつ迅速に進めることができる。
【００１２】
請求項３に係る発明は、上述のような目的を達成するために、
請求項１または２に記載の移動型Ｘ線撮影装置の撮影情報管理システムにおいて、
各移動型Ｘ線撮影装置に自己の位置情報データを取得する自己位置取得手段を備え、撮影情報データとともに前記自己位置取得手段で取得された位置情報データを他の移動型Ｘ線撮影装置との間で送受信するように構成する。
【００１３】
（作用・効果）
請求項３に係る発明の移動型Ｘ線撮影装置の撮影情報管理システムの構成によれば、急患などの緊急事態に際して、撮影作業の途中であるか次の撮影への移動中であるかなどを考慮しながら、最も近い位置の撮影者を確認して対処することができる。
したがって、急患などの緊急事態に、適切かつ迅速に対処することができる。
【発明の効果】
【００１４】
以上説明したように、請求項１に係る発明の移動型Ｘ線撮影装置の撮影情報管理システムによれば、自己の撮影進捗状況に遅れがあるときに、他の移動型Ｘ線撮影装置の撮影進捗状況を確認し、適宜、被検者一人分などの予定していたＸ線撮影の一部を他の撮影者に依頼するとともに該当する被検者の撮影情報データを撮影情報記憶手段から取出して送信することができる。逆に、撮影進捗状況が予定よりも進んでいるときには、他の撮影者の予定分の一部を引き受けることができる。
したがって、他の移動型Ｘ線撮影装置の撮影進捗状況を把握できるから、撮影者どうしでの相互協力を円滑に進めることができ、複数の移動型Ｘ線撮影装置を用いてのＸ線撮影作業を円滑かつ迅速に進めることができ、全体としての作業効率を向上できる。
【発明を実施するための最良の形態】
【００１５】
次に、この発明の実施例について、図面に基づいて詳細に説明する。
【００１６】
図１は、この発明に係る移動型Ｘ線撮影装置の撮影情報管理システムの実施例の全体概略構成を示す平面図、図２は、移動型Ｘ線撮影装置の側面図、図３は、移動型Ｘ線撮影装置の概略構成を示すブロック図であり、入院用の病室１が多数並んで設けられるとともに、急患処理室２、ナースステーション３および情報管理室４が設けられたフロアーに、撮影予定に従ってＸ線撮影を行うように、３台の第１、第２および第３の移動型Ｘ線撮影装置Ａ１，Ａ２，Ａ３が配備されている。
【００１７】
第１、第２および第３の移動型Ｘ線撮影装置Ａ１，Ａ２，Ａ３それぞれは、図２および図３に示すように、被検者ＨにＸ線を照射するＸ線照射手段としてのＸ線管５、フラットパネル型Ｘ線検出器６、情報処理手段７、撮影したＸ線画像を表示する主表示モニタ８、操作パネル９およびＸ線照射制御部１０を移動走行可能な台車１１に備えて構成されている。
【００１８】
台車１１の前方側に立設された支柱１２に鉛直方向の軸心周りで回転可能に水平アーム１３が設けられ、その水平アーム１３にＸ線管５が設けられている。これにより、台車１１の移動走行時には、水平アーム１３が後方側を向いて、平面視で台車１１に重複するコンパクトな姿勢にできながら、Ｘ線撮影時には、図２に示すように、Ｘ線管５を被検者Ｈの上方に容易に移動できるように構成されている。
【００１９】
フラットパネル型Ｘ線検出器６は、台車１１の前部に設けた収納部（図示せず）に簡単に出し入れできる状態で収容されている。フラットパネル型Ｘ線検出器６で検出されたＸ線を処理するのに、情報処理手段７に有線で接続して検出されたＸ線を処理する構成に限らず、フラットパネル型Ｘ線検出器６で検出されたＸ線を信号として無線で情報処理手段７に送信することにより、検出されたＸ線を処理する構成を採用しても良い。
【００２０】
操作パネル９では、Ｘ線管５の管電圧・管電流などの撮影条件の設定や、Ｘ線照射の指令や、画像データの送信指令や、撮影情報の送受信や表示などを行えるように構成されている。Ｘ線照射制御部１０は、台車１１に搭載されたバッテリー（図示せず）から必要なエネルギーの供給を受けながら被検者ＨにＸ線を照射する制御を行うように構成されている。
台車１１は、バッテリー（図示せず）に接続された電動モータ（図示せず）による後輪駆動型に構成されている。
【００２１】
情報処理手段７では、フラットパネル型Ｘ線検出器６で検出されたＸ線を処理して画像データを作成するように構成され、この情報処理手段７で処理された画像データに基づくＸ線画像を主表示モニタ８に表示するように構成されている。
【００２２】
また、図３に示すように、第１、第２および第３の移動型Ｘ線撮影装置Ａ１，Ａ２，Ａ３それぞれには、撮影情報記憶手段としてのデータメモリ部１４と、情報管理室４や他の移動型Ｘ線撮影装置との間で無線交信するための無線通信手段１５と、発信器１６と、情報表示処理部１７と、撮影情報データ表示手段としての副表示モニタ１８とが備えられている。
【００２３】
データメモリ部１４では、情報処理手段７で処理された画像データや、患者情報や撮影条件情報や当日の撮影作業予定や撮影進捗状況といった撮影情報データなどを記憶するようになっている。患者情報としては、被検者Ｈの患者番号（患者ＩＤ）、氏名、性別、病室番号などが挙げられ、また、撮影条件情報としては、撮影部位、管電圧、管電流とＸ線照射時間との管電流時間積などが挙げられ、操作パネル９からの入力操作や、情報管理室４側のデータメモリ部（図示せず）などからの転送などによってデータメモリ部１４に記憶されるようになっている。また、操作パネル９からの入力操作により、情報処理手段７で処理された画像データが、対応する患者情報とともに記憶できるようになっている。
【００２４】
無線通信手段１５は、無線アンテナ１９と送信回路２０とから成る無線送信手段と、無線アンテナ１９と受信回路２１とから成る無線受信手段とから構成されている。
これにより、被検者Ｈに対するＸ線撮影で得られた画像データと、それに対応する被検者属性データとを情報管理室４側などに無線送信したり、図４の概略構成図に示すように、第１、第２および第３の移動型Ｘ線撮影装置Ａ１，Ａ２，Ａ３相互間で、撮影進捗状況や位置情報データなどを無線で送受信したりできるようになっている。また、発信器１６から、自己の位置情報データを取得するための移動型Ｘ線撮影装置固有の周波数の信号を一定周期（例えば、３０秒間など）で発信できるようになっている。
【００２５】
また、Ｘ線撮影業務の開始前に、情報管理室４側のデータメモリ部（図示せず）などからの転送などによって振り分けられる当日の撮影作業予定や、他の移動型Ｘ線撮影装置の撮影進捗状況や位置情報データや、発信器１６から発信した固有周波数の信号に応答した信号などを受信できるようになっている。
【００２６】
情報表示処理部１６では、操作パネル９からの入力操作により、データメモリ部１４に記憶された各種情報を取出して表示したり送信したり、また、受信した撮影情報データをデータメモリ部１４に記憶させたり、副表示モニタ１８に表示させたりできるように構成されている。更に、自己位置取得手段を有し、発信器１６から発信した固有周波数の信号に応答した信号に基づいて自己の位置情報データを取得できるように構成されている。
【００２７】
次に、自己の位置情報データの取得、ならびに、各種情報の表示例について説明する。
病室内と病院構内の特定箇所に送受信器が配備され、第１、第２および第３の移動型Ｘ線撮影装置Ａ１，Ａ２，Ａ３それぞれから発信される固有周波数の信号を受信し、それに応答して、病院内の特定位置に対応した固有のデータ信号を狭いエリア内に発信し、第１、第２および第３の移動型Ｘ線撮影装置Ａ１，Ａ２，Ａ３それぞれのうちの対応するものに受信させるように構成されている。
【００２８】
情報表示処理部１６の自己位置取得手段では、送受信器からのデータ信号を受信するに伴い、その受信したデータ信号に基づいて、どの病室内であるか、病院内のどの位置にいるかを判別して位置情報データとして取得できるように構成されている。取得した位置情報データは、逐次、自己のデータメモリ部１４に記憶されるとともに他の移動型Ｘ線撮影装置に送信されるように構成されている。
【００２９】
また、取得した位置情報データならびに他の移動型Ｘ線撮影装置から送信されてきた位置情報データに基づき、図５の移動型Ｘ線撮影装置の位置の一例を表示した画面の模式図に示すように、病院内の所定フロアーの概略図とともに第１、第２および第３の移動型Ｘ線撮影装置Ａ１，Ａ２，Ａ３それぞれの位置を副表示モニタ１８に表示できるように構成されている。
【００３０】
情報表示処理部１６では、操作パネル９からの入力操作により、図６の患者情報や撮影条件情報の一例を表示した画面の模式図に示すように、被検者Ｈの患者番号（患者ＩＤ）、氏名、性別、病室番号などの患者情報や、撮影部位、管電圧、管電流とＸ線照射時間との管電流時間積などの撮影条件情報をデータメモリ部１４から読み出し、副表示モニタ１８に表示させることができるように構成されている。
【００３１】
また、同様に、操作パネル９からの入力操作により、図７の当日の撮影作業予定や撮影進捗状況の一例を表示した画面の模式図に示すように、当日の撮影作業予定として、目標設定作業時間としての撮影の順番と撮影予定時刻を、患者ＩＤや患者氏名および病室番号とともにデータメモリ部１４から読み出し、副表示モニタ１８に表示させることができるように構成されている。
【００３２】
更に、操作パネル９からの入力操作により、撮影終了に際し、該当する被検者Ｈの欄を指示して撮影終了キーを操作するとともに確定キーを操作するに伴って撮影の欄に「撮影済み」が表示するとともにデータメモリ部１４に記憶し、撮影作業の経過に対する目標設定作業時間と実作業時間とを含んで表示できるように構成されている。被検者Ｈの不在などによって撮影予定が取り消しになった場合は、該当する被検者Ｈの欄を指示して取り消しキーを操作するとともに確定キーを操作するに伴って、該当する被検者Ｈの欄を削除できるようになっている。
【００３３】
撮影進捗状況としては、操作パネル９からの入力操作により、データメモリ部１４に記憶されている撮影進捗状況のデータを読み出し、図８の他の移動型Ｘ線撮影装置を含めた撮影進捗状況の一例を表示した画面の模式図に示すように、自己の移動型Ｘ線撮影装置（例えば、Ａ１）の撮影予定時間と進捗状況（撮影終了）に加え、他の移動型Ｘ線撮影装置（Ａ２，Ａ３）の撮影予定時間と進捗状況をも合わせて表示できるように構成されている。斜線部は現在時刻までの経過分を示している。
【００３４】
これにより、第１、第２および第３の移動型Ｘ線撮影装置Ａ１，Ａ２，Ａ３それぞれどうしの間でお互いの撮影進捗状況を容易に知ることができ、撮影作業が遅れている場合に、撮影作業が進んでいる撮影者に予定作業分の一部を負担してもらうように直接依頼し、了解を得た場合に患者情報を転送することができ、全体としてのＸ線撮影作業を効率良く進めることができる。撮影作業が進んでいる撮影者側から撮影作業が遅れている撮影者に進言する場合も同様である。
【００３５】
図９は、上述のような変更のあった場合における他の移動型Ｘ線撮影装置を含めた撮影進捗状況の一例を表示した画面の模式図であり、変更された撮影作業予定を患者情報の転送とともに組み込んだ状態で表示できるように構成されている。
すなわち、第３の移動型Ｘ線撮影装置Ａ３の撮影予定であった９番目の分が、第２の移動型Ｘ線撮影装置Ａ２の最後に転送して追加されている。
【００３６】
以上の構成により、前述した自己位置と撮影進捗状況との確認により、例えば、急患の発生などに際して、最も速く対処できる撮影者を容易に把握することができ、撮影作業を効率良く行うことができながら、急患などの緊急事態の発生にも良好に対処できる。
【００３７】
上記撮影作業予定の変更に際して、データメモリ部１４に予め病院内の作業経路情報（地図情報）を記憶させておき、その病院内の作業経路情報（地図情報）と取得されている移動型Ｘ線撮影装置の位置とに基づいて移動距離を求め、撮影を行う病室までの移動時間、撮影時間を自動的に割り出して目標設定時間を算出し、割込まれる病室、あるいは、削除された病室に対する目標設定時間を算出し、その目標設定時間を加算あるいは減算し、変更された作業予定時刻を極力正確に表示できるように構成しても良い。
【００３８】
上記実施例では、同じフロアーで複数台の移動型Ｘ線撮影装置を用いてＸ線撮影作業を行う場合を例にして説明したが、本発明としては、異なるフロアーや隣接する建屋で複数台の移動型Ｘ線撮影装置を用いてＸ線撮影を行う場合にも適用できる。
【００３９】
上記実施例では、撮影情報データ表示手段として、専用の副表示モニタ１８を用いているが、本発明としては、主表示モニタ８で兼用するようにしても良い。
【図面の簡単な説明】
【００４０】
【図１】この発明に係る移動型Ｘ線撮影装置の撮影情報管理システムの実施例の全体概略構成を示す平面図である。
【図２】移動型Ｘ線撮影装置の側面図である。
【図３】移動型Ｘ線撮影装置の概略構成を示すブロック図である。
【図４】概略構成図である。
【図５】移動型Ｘ線撮影装置の位置の一例を表示した画面を示す模式図である。
【図６】患者情報や撮影条件情報の一例を表示した画面を示す模式図である。
【図７】当日の撮影作業予定や撮影進捗状況の一例を表示した画面を示す模式図である。
【図８】他の移動型Ｘ線撮影装置を含めた撮影進捗状況の一例を表示した画面を示す模式図である。
【図９】変更のあった場合における他の移動型Ｘ線撮影装置を含めた撮影進捗状況の一例を表示した画面を示す模式図である。
【符号の説明】
【００４１】
５…Ｘ線管（Ｘ線照射手段）
１０…Ｘ線照射制御部
１１…台車
１４…データメモリ部（撮影情報記憶手段）
１５…無線通信手段
１８…副表示モニタ（撮影情報データ表示手段）
Ａ１…第１の移動型Ｘ線撮影装置
Ａ２…第２の移動型Ｘ線撮影装置
Ａ３…第３の移動型Ｘ線撮影装置
Ｈ…被検者
【図１】
0004631591.tif 000002
【図２】
0004631591.tif 000003
【図３】
0004631591.tif 000004
【図４】
0004631591.tif 000005
【図５】
0004631591.tif 000006
【図６】
0004631591.tif 000007
【図７】
0004631591.tif 000008
【図８】
0004631591.tif 000009
【図９】
0004631591.tif 000010